(57)【要約】【課題】汎用性のカードを用いて買物客へのサービス向上が可能になる。【解決手段】非接触ＩＣカード１６の記録部２２に記録された商品値割引情報が非接触ＩＣカードリーダライタ１７を介して読み込まれ商品値割引情報バッファ７１に記憶する。スキャナ６５を介して入力された当該商品コードに対応する買上商品情報を買上商品情報バッファ７２に記憶する。そして、キーボード６１の小計キーを介して買上商品の入力終了が宣言されると、買上商品情報バッファ７１に記憶されている当該商品コードに基づいて商品値割引情報バッファ７２に当該商品コードが存在するか否かを判定する。そして、商品値割引情報バッファ７２に商品値割引の対象となる買上商品の当該商品コードが存在すると、当該商品コードの買上商品について商品値割引処理を実行する。【選択図】      図９
2011123559.tif 000002
【特許請求の範囲】
【請求項１】
非接触ＩＣカードの記録部に記録されている商品値割引情報に基づいて値引または割引の対象となる買上商品の商品販売データ処理を行う商品販売データ処理装置において、
前記非接触ＩＣカードの記録部に記録されている前記商品値割引情報を読み込むことが可能な非接触ＩＣカードリーダライタと、
この非接触ＩＣカードリーダライタを介して読み込まれた前記商品値割引情報を商品値割引情報記憶部に記憶する商品値割引情報記憶手段と、
商品の商品コードを入力するための商品コード入力手段と、
この商品コード入力手段を介して入力された当該商品コードに対応する買上商品情報を買上商品情報記憶部に記憶する買上商品情報記憶手段と、
１商取引の買上商品の入力終了を宣言する商品入力締め手段と、
この商品入力締め手段により買上商品の入力終了が宣言されると前記買上商品情報記憶部に記憶されている当該商品コードに基づいて前記商品値割引情報記憶部に当該商品コードが記憶されているか否かを判定する商品値割引対象判定手段と、
この商品値割引対象判定手段により前記商品値割引情報記憶部に商品値割引の対象となる買上商品の当該商品コードが記憶されていると、当該商品コードについて商品値割引処理を実行する商品値割引処理手段と、
を備えたことを特徴とする商品販売データ処理装置。
【請求項２】
非接触ＩＣカードの記録部に記録されている商品値割引情報に基づいて値引または割引の対象となる買上商品の商品販売データ処理を行う商品販売データ処理装置において、
前記非接触ＩＣカードの記録部に記録されている前記商品値割引情報を読み込むことが可能な非接触ＩＣカードリーダライタと、
この非接触ＩＣカードリーダライタを介して読み込まれた前記商品値割引情報を商品値割引情報記憶部に記憶する商品値割引情報記憶手段と、
商品を識別する商品コードを入力するための商品コード入力手段と、
この商品コード入力手段を介して入力された当該商品コードに対応する買上商品情報を買上商品情報記憶部に記憶する買上商品情報記憶手段と、
前記商品コード入力手段を介して当該商品コードが入力される毎に前記商品値割引情報記憶部に当該商品コードが記憶されているか否かを判定する商品値割引対象判定手段と、
この商品値割引対象判定手段により前記商品値割引情報記憶部に商品値割引情報の対象となる買上商品の当該商品コードが記憶されていると判定した場合には当該商品コードについて商品値割引処理を実行する商品値割引処理手段と、
を備えたことを特徴とする商品販売データ処理装置。
【請求項３】
非接触ＩＣカードの記録部に商品値割引情報を記録することが可能な非接触ＩＣカードリーダライタを有する情報端末と、前記非接触ＩＣカードの記録部に記録されている前記商品値割引情報を読み込むことが可能な非接触ＩＣカードリーダライタを有する商品販売データ処理装置と、を備える商品販売データ処理システムにおいて、
前記情報端末は、前記非接触ＩＣカードリーダライタを介して前記非接触ＩＣカードの記録部に前記商品値割引情報を記録する商品値割引情報記録手段を備え、
前記商品販売データ処理装置は、
前記非接触ＩＣカードの記録部に記録されている前記商品値割引情報が前記非接触ＩＣカードリーダライタを介して読み込み商品値割引情報記憶部に記憶する商品値割引情報記憶手段と、
商品を識別する商品コードを入力するための商品コード入力手段と、
この商品コード入力手段を介して入力された当該商品コードに対応する買上商品情報を買上商品情報記憶部に記憶する買上商品情報記憶手段と、
１商取引の買上商品の入力終了を宣言する商品入力締め手段と、
この商品入力締め手段を介して買上商品の入力終了が宣言されると前記買上商品情報記憶部に記憶されている当該商品コードに基づいて前記商品値割引情報記憶部に当該商品コードが記憶されているか否かを判定する商品値割引対象判定手段と、
この商品値割引対象判定手段により前記商品値割引情報記憶部に前記商品値割引情報の対象となる買上商品の当該商品コードが記憶されていると、当該商品コードについて商品値割引処理を実行する商品値割引処理手段と、
を備えたことを特徴とする商品販売データ処理システム。
【請求項４】
非接触ＩＣカードの記録部に商品値割引情報を記録することが可能な非接触ＩＣカードリーダライタを有する情報端末と、前記非接触ＩＣカードの記録部に記録されている前記商品値割引情報を読み込むことが可能な非接触ＩＣカードリーダライタを有する商品販売データ処理装置と、を備える商品販売データ処理システムにおいて、
前記情報端末は、前記非接触ＩＣカードリーダライタを介して前記非接触ＩＣカードの記録部に前記商品値割引情報を記録する商品値割引情報記録手段を備え、
前記商品販売データ処理装置は、
前記非接触ＩＣカードの記録部に記録されている前記商品値割引情報を読み込むことが可能な非接触ＩＣカードリーダライタと、
この非接触ＩＣカードリーダライを介して読み込まれた前記商品値割引情報を商品値割引情報記憶部に記憶する商品値割引情報記憶手段と、
商品を識別する商品コードを入力するための商品コード入力手段と、
この商品コード入力手段を介して入力された当該商品コードに対応する買上商品情報を買上商品情報記憶部に記憶する買上商品情報記憶手段と、
前記商品コード入力手段を介して当該商品コードが入力される毎に前記商品値割引情報記憶部に当該商品コードが記憶されているか否かを判定する商品値割引対象判定手段と、
この商品値割引対象判定手段により前記商品値割引情報記憶部に商品値割引情報の対象となる買上商品の当該商品コードが記憶されていると判定した場合には当該商品コードについて商品値割引処理を実行する商品値割引処理手段と、
を備えたことを特徴とする商品販売データ処理システム。
【請求項５】
非接触ＩＣカードの記録部に記録されている商品値割引情報に基づいて値引または割引の対象となる買上商品の商品販売データ処理を実行する商品販売データ処理装置の商品販売データ処理方法において、
前記非接触ＩＣカードの記録部に記録されている前記商品値割引情報が非接触ＩＣカードリーダライタを介して読み込むステップと、
前記ステップにより読み込まれた前記商品値割引情報を商品値割引情報記憶部に記憶するステップと、
商品コード入力手段を介して当該商品コードを入力するステップと、
前記ステップにより入力された当該商品コードに対応する買上商品情報を記憶するステップと、
１商取引の買上商品の入力終了を宣言する商品入力締めステップと、
前記ステップにより買上商品の入力終了が宣言されると前記買上商品情報記憶部に記憶されている当該商品コードに基づいて前記商品値割引情報記憶部に当該商品コードが記憶されているか否かを判定するステップと、
前記ステップにより前記商品値割引情報記憶部に商品値割引の対象となる買上商品の当該商品コードが記憶されていると当該商品コードについて商品値割引処理を実行するステップと、
を含むことを特徴とする商品販売データ処理方法。
【請求項６】
非接触ＩＣカードの記録部に記録されている商品値割引情報に基づいて値引または割引の対象となる買上商品の商品販売データ処理を実行する商品販売データ処理装置の商品販売データ処理方法において、
前記非接触ＩＣカードの記録部に記録されている前記商品値割引情報が非接触ＩＣカードリーダライタを介して読み込むステップと、
前記ステップにより読み込まれた前記商品値割引情報を記憶するステップと、
商品コード入力手段を介して当該商品コードを入力するステップと、
前記ステップにより入力された当該商品コードに対応する買上商品情報を記憶するステップと、
前記商品コード入力手段を介して当該商品コードが入力される毎に前記商品値割引情報記憶部に当該商品コードが記憶されているか否かを判定するステップと、
前記ステップにより前記商品値割引情報記憶部に商品値割引情報の対象となる買上商品の当該商品コードが記憶されていると当該商品コードについて商品値割引処理を実行するステップと、
を含むことを特徴とする商品販売データ処理方法。
【請求項７】
非接触ＩＣカードの記録部に記録されている商品値割引情報に基づいて値引または割引の対象となる買上商品の商品販売データ処理を実行する商品販売データ処理プログラムにおいて、
前記非接触ＩＣカードに記録されている商品値割引情報が非接触ＩＣカードリーダライタを介して読み込む機能と、
前記機能により読み込まれた前記商品値割引情報を商品値割引情報記憶部に記憶する機能と、
商品コード入力手段を介して当該商品コードを入力する機能と、
前記機能により入力された当該商品コードに対応する買上商品情報を買上商品情報記憶部に記憶する機能と、
１商取引の買上商品の入力終了を宣言する商品入力締め機能と、
前記機能により買上商品の入力終了が宣言されると前記買上商品情報記憶部に記憶されている当該商品コードに基づいて前記商品値割引情報記憶部に当該商品コードが記憶されているか否かを判定する機能と、
前記機能により前記商品値割引情報記憶部に商品値割引の対象となる買上商品の当該商品コードが記憶されていると当該商品コードについて商品値割引処理を実行する機能と、
を実現することを特徴とする商品販売データ処理プログラム。
【請求項８】
非接触ＩＣカードの記録部に記録されている商品値割引情報に基づいて値引または割引の対象となる買上商品の商品販売データ処理を実行する商品販売データ処理プログラムにおいて、
前記非接触ＩＣカードの記録部に記録されている前記商品値割引情報が非接触ＩＣカードリーダライタを介して読み込む機能と、
前記機能により読み込まれた前記商品値割引情報を商品値割引情報記憶部に記憶する機能と、
商品コード入力手段を介して当該商品コードを入力する機能と、
前記機能により入力された当該商品コードに対応する買上商品情報を買上商品情報記憶部に記憶する機能と、
前記商品コード入力手段を介して当該商品コードが入力される毎に前記買上商品情報記憶部に当該商品コードが記憶されているか否かを判定する機能と、
前記機能により前記商品値割引情報記憶部に商品値割引の対象となる買上商品の当該商品コードが記憶されていると当該商品コードについて商品値割引処理を実行する機能と、
を実現することを特徴とするプログラム。
【発明の詳細な説明】
【技術分野】
【０００１】
本発明は、ＰＯＳ（Point Of Sales：販売時点情報管理）端末等の商品販売データ処理装置、商品販売データ処理システムおよび商品販売データ処理方法並びに商品販売データ処理プログラムに関する。
【背景技術】
【０００２】
近年、スーパーマーケット、大型量販店などの小売業界では、商品販売の競争が激化している。そのため各企業は、他社との差別化を図るために様々な販売商品の促進対策を講じている。
【０００３】
小売業界では、商品の販売促進させるために、たとえば、ダイレクトメールやデジタルチラシなどの利用が広がっている。
【０００４】
また、商品の値引きやポイントサービスなどで商品の販売促進を図っている。
【０００５】
また、特定の商品について値割引処理をＰＯＳ端末で行う場合には、たとえば、キーボードから値引キー、割引キー等による商品値割引処理や商品に表示されている商品コードをスキャナで入力して商品マスタファイルに設定されている値引きまたは割引率等による商品値割引処理行っている。
【０００６】
また、電子クーポンを配布するためにリーダライタ装置と無線通信により電子クーポンを取得する通信装置とからなる電子クーポン配布システムが知られている（たとえば、特許文献１参照）。
【発明の概要】
【発明が解決しようとする課題】
【０００７】
前記特許文献１に記載の電子クーポン配布システムは、リーダライタ装置と通信装置との通信開始時に通信装置がリーダライタ装置にプロフィール情報を送信し、前記リーダライタ装置はプロフィール情報内に含まられる所定のキーワードで検索し、検索されたキーワードに対応するプロフィール項目が取得条件を満たしているプロフィール情報を送信した通信装置に対してのみ電子クーポンを送信するようになっている。
【０００８】
前記電子クーポン配布システムでは、通信装置の所有者のプロフィール情報に適した電子クーポンのサービスが受けられようになっている。しかしながら、たとえば、所有者のプロフィール情報でスーパーマーケットにおいて食料品や衣料品など買上げる場合に、家族構成によって商品のサービスが限定さることがある。また、店舗カードを所持されていない買物客の場合には、商品値割引を受けられないこともある。
【０００９】
本発明は、非接触ＩＣカードの商品値割引情報を利用して買上商品の商品販売データ処理を可能とする商品販売データ処理装置、商品販売データ処理システムおよび商品販売データ処理方法並びに商品販売データ処理プログラムを提供しようとするものである。
【課題を解決するための手段】
【００１０】
本発明は、非接触ＩＣカードの記録部に記録されている商品値割引情報に基づいて値引または割引の対象となる買上商品の商品販売データ処理を行う商品販売データ処理装置において、前記非接触ＩＣカードの記録部に記録されている商品値割引情報を読み込むことが可能な非接触ＩＣカードリーダライタと、この非接触ＩＣカードリーダライタを介して読み込まれた前記商品値割引情報を商品値割引情報記憶部に記憶する商品値割引情報記憶手段と、商品を識別する商品コードを入力するための商品コード入力手段と、この商品コード入力手段を介して入力された当該商品コードに対応する買上商品情報を買上商品情報記憶部に記憶する買上商品情報記憶手段と、１商取引の買上商品の入力終了を宣言する商品入力締め手段と、この商品入力締め手段により買上商品の入力終了が宣言されると前記買上商品情報記憶部に記憶されている当該商品コードに基づいて前記商品値割引情報記憶部に当該商品コードが記憶されているか否かを判定する商品値割引対象判定手段と、この商品値割引対象判定手段により前記商品値割引情報記憶部に商品値割引の対象となる買上商品の当該商品コードが記憶されていると当該商品コードについて商品値割引処理を実行する商品値割引処理手段と、を備えたことを特徴とする。
【００１１】
また、本発明は、非接触ＩＣカードの記録部に商品値割引情報を記録することが可能な非接触ＩＣカードリーダライタを有する情報端末と、前記非接触ＩＣカードの記録部に記録されている前記商品値割引情報を読み込むことが可能な非接触ＩＣカードリーダライタを有する商品販売データ処理装置と、を備える商品販売データ処理システムにおいて、前記情報端末は、前記非接触ＩＣカードリーダライタを介して前記非接触ＩＣカードの記録部に前記商品値割引情報を記録する商品値割引情報記録手段を備え、前記商品販売データ処理装置は、前記非接触ＩＣカードの記録部に記録されている前記商品値割引情報が前記非接触ＩＣカードリーダライタを介して読み込み商品値割引情報記憶部に記憶する商品値割引情報記憶手段と、商品を識別する当該商品コードを入力するための商品コード入力手段と、この商品コード入力手段を介して入力された買上商品の当該商品コードに対応する買上商品情報を買上商品情報記憶部に記憶する買上商品情報記憶手段と、１商取引の買上商品の入力終了を宣言する商品入力締め手段と、この商品入力締め手段により買上商品の入力終了が宣言されると前記買上商品情報記憶部に記憶されている当該商品コードに基づいて前記商品値割引情報記憶部に当該商品コードが記憶されているか否かを判定する商品値割引対象判定手段と、この商品値割引対象判定手段により前記商品値割引情報記憶部に商品値割引の対象となる買上商品の当該商品コードが記憶されていると当該商品コードについて商品値割引処理を実行する商品値割引処理手段と、を備えたことを特徴とする。
【００１２】
また、本発明は、非接触ＩＣカードの記録部に記録されている商品値割引情報に基づいて値引または割引の対象となる買上商品の商品販売データ処理を行う商品販売データ処理装置の商品販売データ処理方法において、前記非接触ＩＣカードの記録部に記録されている前記商品値割引情報が非接触ＩＣカードリーダライタを介して読み込むステップと、前記ステップにより読み込まれた前記商品値割引情報を記憶するステップと、商品コード入力された当該商品コードを入力するステップと、前記ステップにより入力された当該商品コードに対応する買上商品情報を買上商品情報記憶部に記憶するステップと、１商取引の買上商品の入力終了を宣言する商品入力締めステップと、前記ステップにより買上商品の入力終了が宣言されると前記買上商品情報記憶部に記憶されている当該商品コードに基づいて前記商品値割引情報記憶部に当該商品コードが記憶されているか否かを判定するステップと、前記ステップにより前記商品値割引情報記憶部に商品値割引の対象となる買上商品の当該商品コードが記憶されていると当該商品コードについて商品値割引処理を実行するステップと、を含むことを特徴とする。
【００１３】
また、本発明は、非接触ＩＣカードの記録部に記録されている商品値割引情報に基づいて値引または割引の対象となる買上商品の商品販売データ処理を行う商品販売データ処理プログラムにおいて、前記非接触ＩＣカードの記録部に記録されている商品値割引情報が非接触ＩＣカードリーダライタを介して読み込む機能と、前記機能により読み込まれた前記商品値割引情報を商品値割引情報記憶部に記憶する機能と、商品コード入力手段を介して当該商品コードを入力する機能と、前記機能により入力された当該商品コードに対応する買上商品情報を買上商品情報記憶部に記憶する機能と、１商取引の買上商品の入力終了を宣言する商品入力締め機能と、前記機能により買上商品の入力終了が宣言されると前記買上商品情報記憶部に当該商品コードが記憶されているか否かを判定する機能と、前記機能により前記商品値割引情報記憶部に商品値割引の対象となる買上商品の当該商品コードが記憶されていると当該商品コードについて商品値割引処理を実行する機能と、を実現することを特徴とする。
【発明の効果】
【００１４】
本発明によれば、汎用性のカードを用いて商品販売の促進効果をより向上させることが可能になる。
【図面の簡単な説明】
【００１５】
【図１】本発明の実施例１に係る商品販売データシステムの全体構成の概略を示すブロック図。
【図２】同実施例１に係るストアコンピュータに形成される商品マスタファイルの主要なデータ構造を示す模式図。
【図３】同実施例１に係るストアコンピュータに形成される商品値割引ファイルの主要なデータ構造を示す模式図。
【図４】同実施例１に係る非接触ＩＣカードの主要な構成を示す模式図。
【図５】同実施例１に係るキオスク端末の主要な構成を示すブロック図。
【図６】同実施例１に係るＰＯＳ端末の要部構成を示すブロック図。
【図７】同実施例１に係るＰＯＳ端末のＲＡＭに形成される主要なメモリエリアを示す模式図。
【図８】同実施例１に係るキオスク端末のＣＰＵが実行する商品値割引情報処理の主要なステップを示す構成を示すフローチャート。
【図９】同実施例１に係るＰＯＳ端末のＣＰＵが実行する商品販売データ処理の主要なステップを示す構成を示すフローチャート。
【図１０】同実施例に係るＰＯＳ端末のＣＰＵが実行する商品値割引判定処理の主要なステップを示すフローチャート。
【図１１】同実施例１に係るＰＯＳ端末の１商取引が処理されたときの買上商品情報バッファに記憶される一例を示す模式図。
【図１２】同実施例１に係るキオスク端末の表示部に表示される商品値割引情報の一例を示す模式図。
【図１３】同実施例１に係る１商取引において発行されるレシートの印字の一例を示す平面図。
【図１４】本発明の実施例２に係るＰＯＳ端末のＣＰＵが実行する商品販売データ処理の主要なステップを示す構成を示すフローチャート。
【発明を実施するための形態】
【００１６】
本発明に係る商品販売データ処理システムをより明確に理解するために本明細書における商品販売データ処理システムの概要を説明する。
【００１７】
はじめに、買物客は、ＦｅｌｉＣａ（登録商標）チップを内蔵した非接触ＩＣカードを用意する。
【００１８】
商品販売データ処理システムは、スーパーマーケットなどの店舗内に設置された情報端末であるキオスク端末、商品販売データ処理装置であるＰＯＳ端末およびストアコンピュータから構成されている。
【００１９】
キオスク端末には、商品の値引額もしくは割引率などの商品値割引情報が記憶されている。
【００２０】
買物客は、前記キオスク端末の非接触ＩＣカードリーダライタを介して商品値割引情報を自己所有の非接触ＩＣカードの記録部に記録する。
【００２１】
つぎに、前記ＰＯＳ端末の非接触ＩＣカードリーダライタを介して前記非接触ＩＣカードの記録部に記録されている前記商品値割引情報を読み取るとともに、商品値割引情報記憶部に記憶する。
【００２２】
さらに、前記ＰＯＳ端末の商品コード入力手段から買上商品の商品コードが入力されると、この入力商品コードに基づいて前記商品値割引情報記憶部を検索して当該商品コードが記憶されている場合には、前記商品値割引情報の値引額、割引率および新価格にしたがって買上商品の商品値割引処理が行われるようになっている。
【実施例１】
【００２３】
以下、本発明の実施例１について図面を参照して説明する。
【００２４】
図１は、本発明の実施例１に係る商品販売データ処理システム１１の要部構成を説明するためのすブロック図である。商品販売データ処理システム１１は、複数台のキオスク端末１２、複数台のＰＯＳ端末１３およびストアコンピュータ１４をＬＡＮ（Local Area Network）等の通信回線１５によって相互通信することが可能に接続されている。
【００２５】
前記各キオスク端末１２および前記各ＰＯＳ端末１３には、各買物客が所有する非接触ＩＣカード１６に各種データたとえば、商品値割引情報を読み書きが可能な非接触ＩＣカードリーダライタ１７を備えている。
【００２６】
前記ストアコンピュータ１４には、商品マスタファイル１８、商品値割引情報ファイル１９等のデータファイルを備えている。
【００２７】
商品マスタファイル１８には、図２に示すように、商品コード、商品名、単価、属性コード等の項目情報からなる商品情報が店舗で販売される商品数分、記憶されている。
【００２８】
商品コードは、各商品に対して設定された商品固有の識別コードであって各商品には商品コードがバーコードまたは２次元コードの形態で表示されている。商品名、単価は、対応する商品コードによって特定される商品の品名、単位数量当たりの価格である。属性コードは、対応する商品コードによって特定される商品が属する商品分類のコードである。
【００２９】
商品値割引情報ファイル１９には、図３に示すように、商品コード、値割引フラグＦ、値割引情報等の項目情報からなる商品値割引情報が店舗で販売される商品の値割引の商品数だけ記憶されている。
【００３０】
値割引フラグＦは、１：値引額、２：割引率、３：新価格の値割引情報が示される。
【００３１】
前記ストアコンピュータ１４は、通信回線１５を介して前記各ＰＯＳ端末１３からの商品コードに基づく商品情報の問い合わせに対応して商品マスタファイル１８を検索し、該当商品コードの商品情報が提供されるようになっている。
【００３２】
また、前記ストアコンピュータ１４は、商品値割引情報ファイル１９の商品値割引情報の更新が発生するたびに商品値割引情報を前記各キオスク端末１２へ送信し提供されるようになっている。
【００３３】
図４は、前記非接触ＩＣカード１６の要部構成の一例を示すブロック図である。非接触ＩＣカード１６は、フラッシュメモリなどの半導体メモリからなるユーザエリアを有する記録部２２、外部と通信してデータを送受信するための通信部２３およびアンテナ２４と、それらを統括的に制御する制御部２５によって構成されている。
【００３４】
図５は、キオスク端末１２の要部構成の一例を示すブロック図である。キオスク端末１２は、制御部本体として各部を制御するＣＰＵ（Central Processing Unit）３１が搭載されている。そして、このＣＰＵ３１には、アドレスバス、データバスなどのバスライン３２を介して主記憶装置としてＲＯＭ（Read Only Memory）３３、ＲＡＭ（Random Access Memory）３４、補助記憶装置としてのＨＤＤ（Hard Disk Drive）３５、時計部３６、通信コントローラ３７、タッチパネル３８、カードリーダライタコントローラ３９、非接触ＩＣカードリードライタ１７によって構成されている。
【００３５】
前記ＩＣカード非接触リードライタ１７には、図示しないアンテナと通信部を内蔵している。前記ＩＣカード非接触リードライタ１７は、前記非接触ＩＣカード１６のアンテナ２４および通信部２３を介してユーザエリアの記録部２２に商品値割引情報のデータを記録することが可能になっている。ここで、ＣＰＵ３１とＩＣカード非接触リードライタ１７により商品値割引情報記録手段として機能する。
【００３６】
また、前記ＨＤＤ３５には、ストアコンピュータ１４の商品値割引情報ファイル１９に記憶されている商品値割引情報が通信コントローラ３７を介して記憶されるようになっている。
【００３７】
前記ＲＯＭ３３および前記ＨＤＤ３５には、前記非接触ＩＣカード１６のユーザエリアの記録部２２に商品値割引情報を記録処理するためのプログラムが記憶されている。
【００３８】
図６は、ＰＯＳ端末１３の要部構成の一例を示すブロック図である。ＰＯＳ端末１３には、制御部本体として各部を制御するＣＰＵ４１が搭載されている。そして、このＣＰＵ４１には、アドレスバス、データバスなどのバスライン４２を介してプログラム等の固定的データが記憶されたＲＯＭ４３、商品販売データの処理をするためのメモリエリア等が形成されるＲＡＭ４４、補助記憶装置としてのＨＤＤ４５、現在の日付および時刻を計時する時計部４６のほか通信コントローラ４７、キーボードコントローラ４８、第１表示コントローラ４９、第２表示コントローラ５０、プリントコントローラ５１、スキャナコントローラ５２、カードリーダライタコントローラ５３、Ｉ／Ｏ（Input／Output）ポート５４が接続されている。
【００３９】
通信コントローラ４７は、ＬＡＮ等の通信回線１５を介して接続される外部機器との間で行うデータ通信を制御するもので、この通信コントローラ４７には、商品マスタファイル１８、商品値割引情報ファイル１９等を記憶管理するストアコンピュータ１４が接続されている。
【００４０】
キーボードコントローラ４８は、キーボードの操作キーに対応したキー信号を取り込むもので、このキーボードコントローラ４８には、数値データを置数するための「０」〜「９」の置数キー、この置数キーによって置数された数値データがＰＬＵ（price look up）コードであることを指令するＰＬＵキー、数値データが乗数であることを指令する×キー、数値データのクリア当を指令するクリアキー、１商取引の小計出力を指令する小計キー、１商取引の現金締めを指令する預／現計キー等が配設されたＰＯＳ端末専用のキーボード６１が接続されている。
【００４１】
第１表示コントローラ４９、第２表示コントローラ５０は、表示器の駆動を制御して表示データに対応する画面を表示させるもので、第１表示コントローラ５０には、オペレータに対する画面を表示するために前面表示器６２が接続されており、第２表示コントローラ５０には、客に対する画面を表示するための客面表示器６３が接続されている。
【００４２】
プリントコントローラ５１は、プリンタの駆動を制御して印字データをレシート用紙に印字させるもので、このプリントコントローラ５１には、１商取引が成立するごとにその取引のレシート１００（図１３参照）をレシート用紙に印字し発行するためのプリンタ６４が接続されている。
【００４３】
スキャナコントローラ５２は、スキャナで読み取られたデータを取り込むもので、このスキャナコントローラ５２には、商品に表示された商品コードを示すバーコードあるいは２次元コード等を読み取ることが可能なスキャナ６５が接続されている。ここで、商品コード入力手段として機能する。なお、商品コードは、ＰＬＵコードとしてキーボード６１の置数キーとＰＬＵキーとにより入力することも可能である。
【００４４】
カードリーダライタコントローラ５３は、ＩＣカード非接触リードライタ１７で読み取られたカードデータたとえば、商品値割引情報を取り込むもので、このカードリーダライタコントローラ５３には、たとえば、ＦｅｌｉＣａ（登録商標）チップを内蔵した非接触ＩＣカード１６のカードデータを読み取ることが可能な非接触ＩＣカードリードライタ１７が接続されている。
【００４５】
前記非接触ＩＣカードリードライタ１７は、図示しないアンテナと通信部を内蔵している。そして、非接触ＩＣカードリードライタ１７は、非接触ＩＣカード１６のアンテナ２４および通信部２３を介してユーザエリアを有する記録部２２の商品値割引情報を読み取ることが可能になっている。ここで、ＣＰＵ４１と非接触ＩＣカードリードライタ１７とにより商品値割引情報読取手段として機能する。
【００４６】
Ｉ／Ｏポート５４には、ＣＰＵ４１からの指令によりドロワ６６に対して駆動信号が出力される。ドロワ６６は、現金等を収容するために設けられており、駆動信号の入力により自動的に開放動作する。また、Ｉ／Ｏポート５４には、モードスイッチ６７からの信号が入力される。
【００４７】
モードスイッチ６７は、「登録」、「点検」、「精算」、「設定」等の各種業務モードを選択しその実行をＣＰＵ４１に指令するものである。ちなみに、「登録」とは、商品コード入力手段により買上商品の商品コードが入力されると、その入力された商品コードに基づいて買上商品情報をＲＡＭ４４等の記憶部に登録処理するとともに、前記買上商品の商品名、販売点数、販売金額等を前面表示器６２、客面表示器６３に表示およびプリンタ６４により買上商品情報をレシート用紙等に印字出力する業務である。
【００４８】
ＰＯＳ端末１３は、図７に示すように買上商品情報バッファ７１、商品値割引情報バッファ７２、カードフラグバッファ７３および印字バッファ７４がＲＡＭ４４に形成している。
【００４９】
買上商品情報バッファ７１には、１商取引で買上される商品ごとに、商品コード、商品名、単価、販売点数、販売金額、値割引額等の各項目からなる買上商品情報が蓄積される。また、蓄積された買上商品情報の販売点数、販売金額、値割引額の各合計エリア７５、７６、７７が形成されている。ここに、買上商品情報バッファ７１は、買上商品情報記憶部として機能する。
【００５０】
商品値割引情報バッファ７２には、非接触ＩＣカード１６の記録部２２から読み取ったカードデータである商品値割引情報が記憶される。
【００５１】
カードフラグバッファ７３には、非接触ＩＣカード１６を使用した買物客との１商取引であるか否かを判別するためのカードフラグＣＦがセットされる。ちなみに、この実施例１では、非接触ＩＣカード１６を使用した買物客との商取引であるときにはカードフラグＣＦは“１”にセットされるようになっている。
【００５２】
また、非接触ＩＣカード１６を使用しない買物客との１商取引であるときにはカードフラグＣＦは“０”にリセットされるようになっている。
【００５３】
印字バッファ７３には、プリンタ６４によって一括印字される１商取引分のレシート印字データが記憶されている。
【００５４】
本実施例１の構成に係る情報端末であるキオスク端末１１のＣＰＵ３１は、非接触ＩＣカード１６の記録部２２に商品値割引情報を記録するプログラムを構成している。
【００５５】
図８は、キオスク端末１２のＣＰＵ３１が実行する商品値割引情報処理の要部のＳＴ（ステップ）を示すフローチャートである。
【００５６】
キオスク端末１２のＣＰＵ３１は、ＳＴ（ステップ）１１としてタッチパネル３８の画面に図示しないジョブメニューを表示させる。そして、ＳＴ１２としてタッチパネル３８の画面の図示しない商品値割引情報をタッチ操作すると、たとえば、ＨＤＤ３５に記憶されている商品値割引情報を取得するとともに、図１２に示すように、タッチパネル３８の画面に商品値割引情報を表示させる。
【００５７】
ＣＰＵ３１は、ＳＴ１３として非接触ＩＣカードリードライタ１７を介して非接触ＩＣカード１６を検知すると、非接触ＩＣカード１６の記録部２２に対して図１２に示すように、商品値割引情報を記録する。ここで、キオスク端末１２の商品値割引情報処理が終了する。
【００５８】
つぎに、ＰＯＳ端末１３における非接触ＩＣカード１６を用いた商品販売データ処理について説明する。
【００５９】
各ＰＯＳ端末１３のＣＰＵ４１は、モードスイッチ６７により「登録」モードが選択されている状態であって、図９のフローチャートに示すＳＴ（ステップ）で１商取引の商品販売データ処理を実行するようにＲＯＭ４３またはＨＤＤ４５にプログラムされている。
【００６０】
そして、商品販売データ処理を開始する前に、ＲＡＭ４４の買上商品情報バッファ７１、商品値割引情報バッファ７２、カードフラグバッファ７３および印字バッファ７４がクリアされている。
【００６１】
ＣＰＵ４１は、まず、ＳＴ２１として非接触ＩＣカード１６のカード登録されるのを待機している。
【００６２】
そして、非接触ＩＣカード１６の記録部２２に記録されているカードデータである商品値割引情報が非接触ＩＣカードリードライタ１７を介して読み込まれた場合には（ＳＴ２１−ＹＥＳ）、ＣＰＵ４１は、ＳＴ２２として前記商品値割引情報をＲＡＭ４４の商品値割引情報バッファ７２にセーブする（商品値割引情報記憶手段）。そして、ＳＴ２３としてカードフラグＣＦを“１”にセットする。
【００６３】
つぎに、ＳＴ２４として買上商品の商品登録が行われるのを待機する。ここで、スキャナ６５またはキーボード６１の商品コード入力手段を介して当該商品コードが入力されると、ＣＰＵ４１は、ＳＴ２５では、入力された商品コードでストアコンピュータ１４に通信コントローラ４７を介して問い合わせを行い、当該商品コードに対応して商品マスタファイル１８に設定されている商品名、単価等の商品情報を読み込む。そして、この商品情報によって買上商品情報を作成し、買上商品情報バッファ７１にセーブする。また、当該商品コードに対応した商品名、単価、販売点数、販売金額等の買上商品情報を前面表示器６２および客面表示器６３に表示させる。
【００６４】
以後、ＣＰＵ４１は、キーボード６１の小計キーが操作入力されるまで、買上商品の商品コードが入力されるごとにＳＴ２４〜ＳＴ２５の処理を繰り返し実行する。
【００６５】
そして、ＣＰＵ４１は、ＳＴ２６として１商取引の商品登録の入力終了を宣言する商品入力締め手段である小計キーの入力を検知した場合には、ＣＰＵ４１は、ＳＴ２７としてカードフラグＣＦをチェックして商品値割引の対象か否かを判定する。ここで、カードフラグＣＦが“１”にセットされている場合には、商品値割引の対象の取引なので、後述するＳＴ２８の商品値割引判定処理を実行する。
【００６６】
これに対し、カードフラグＣＦが“０”にリセットされていた場合には、商品値割引判定処理を実行しない。
【００６７】
その後、ＣＰＵ４１は、ＳＴ２９として買上商品情報バッファ７１の合計販売金額から合計値割引額を減算して小計金額を算出する。そして、この小計金額を前面表示器６２および客面表示器６３に表示させる。
【００６８】
その後、ＣＰＵ４１は、ＳＴ３０としてキーボード６１の締めキーが入力されるのを待機する。
【００６９】
そして、１商取引の決済を宣言する締めキーが入力されたならば、ＣＰＵ４１は、ＳＴ３１として商品販売データ処理を行う。すなわち、図１１に示すように、買上商品情報バッファ７１に記憶されているすべての買上商品情報から販売点数、販売金額、値割引額の商品販売データからＲＡＭ４４の各合計エリア（合計販売点数）７５、（合計販売金額）７６、（合計値割引額）７７にそれぞれ記憶する登録処理が実行される。
【００７０】
また、ＳＴ３２として決済処理を行う。すなわち、たとえば、現金支払いの場合には、預かり金額と合計販売金額とから釣銭額を算出し、前面表示器６２および客面表示器６３に表示させる。
【００７１】
つぎに、ＣＰＵ４１は、ＳＴ３３として買上商品情報バッファ７１の買上商品情報に基づいて当該商取引のレシート印字データを作成し、印字バッファ７４にセーブする。そして、プリンタ６４に出力して図１３に示すように、レシート１００を印字発行させる。さらに、Ｉ／Ｏポート５４から駆動信号を出力してドロワ６６を開放させる。
【００７２】
以上で買物客との１商取引に対する商品販売データ処理を終了する。
【００７３】
図１０は、ＰＯＳ端末１３のＣＰＵ４１が実行する商品値割引判定処理のステップ（ＳＴ）を示すフローチャートである。
【００７４】
ＣＰＵ４１は、商品値割引判定処理に入ると、まず、ＳＴ６１として商品値割引バッファ７２を検索して商品値割引情報が存在するかをチェックする。
【００７５】
ここで、ＣＰＵ４１は、ＳＴ６２として前記商品値割引情報が記憶されると判定した場合に、ＣＰＵ４１は、ＳＴ６３として買上商品情報バッファ７１に記憶されている買上商品の当該商品コードに基づいて商品値割引情報バッファ７２に当該商品値割引情報の値割引対象となる当該商品コードが記憶されているか否かを判定する（商品値割引対象判定手段）。
【００７６】
そして、商品値割引バッファ７２に商品値割引の対象となる当該商品コードが記憶されている場合には（ＳＴ６３−ＹＥＳ）、ＣＰＵ４１は、ＳＴ６４としてその商品値割引情報に基づいて当該商品コードに対応した販売金額、値割引情報および値割引額等を読込む。そして、買上商品情報バッファ７１に当該商品コードに対応する販売金額、値割引情報および値割引額等をセーブしたならば（商品値割引処理手段）、この値割引処理判定処理を終了する。
【００７７】
なお、ＳＴ６２にて商品値割引情報が記憶されていない場合、または、ＳＴ６３にて値割引対象となる買上商品の当該商品コードが記憶されていない場合には、ＳＴ６４の商品値割引処理を行うことなく商品値割引判定処理を終了する。
【００７８】
このように構成された本実施例のＰＯＳ端末１３においては、商品値割引情報バッファ７２に記憶されている商品値割引情報と買上商品バッファ７１に記憶された買上商品情報に基づいて買上商品の商品販売データ処理をカードフラグＣＦ“１”にセットされた買物客との１商取引が発生した場合の作用について具体的に説明する。
【００７９】
今、図３の商品値割引情報ファイル１９に記憶されている商品値割引情報と、図１１の買上商品情報バッファ７１に記憶されている買上商品情報を基に商品Ａ、Ｂ、Ｃを各１点ずつ順に買上げた買物客との１商取引について説明する。
【００８０】
キャッシャ（店員）は、買物客が提示した非接触ＩＣカード１６をＰＯＳ端末１３の非接触ＩＣカードリードライタ１７で読み取らせる。そうすると、図３の商品値割引情報ファイル１９の商品値割引情報を商品値割引情報バッファ７２に記憶する。
【００８１】
つぎに、ＰＯＳ端末１３のキーボード６１またはスキャナ６５を操作して買物客が買い上げる商品の商品Ａ〜Ｃを各１点ずつ順に各商品コードを入力する。
【００８２】
そうすると、買上商品情報バッファ７１には、図１１に示すうちに、Ｎｏ．１のレコードとして商品コード（４９０１７７７１３７９４３）、商品名（商品Ａ）、単価（９８円）、販売点数（１点）の各データが記憶される。
【００８３】
また、Ｎｏ．２のレコードとして商品コード（４９０１２３４５６７８９４）商品名（商品Ｂ）、単価（１００円）、販売点数（１点）の各データが記憶される。
【００８４】
Ｎｏ．３のレコードとして商品コード（４５１２６４２０）、商品名（商品Ｃ）、単価（１２０円）、販売点数（１点）の各データが記憶される。
【００８５】
買物客の買い上げ商品が３点すべて入力されたので、つぎに、キーボード６１の小計キーが操作入力されると、カードフラグＣＦをチェックして“１”にセットされているので、商品値割引判定処理を行う。
【００８６】
まず、Ｎｏ．１のレコードとして商品コード（４９０１７７７１３７９４３）で商品値割引情報バッファ７２を検索して買上した商品が存在するので買上商品情報バッファ７１に、販売金額（７８円）、値割引フラグＦ（１）、値割引情報（２０円値引）、値割引額（２０円）のデータが追加記憶される。
【００８７】
また、Ｎｏ．２のレコードとして商品コード（４９０１２３４５６７８９４）で商品値割引情報バッファ７２を検索し、買上した商品が存在するので買上商品情報バッファ７１に、販売金額（８５円）、値割引フラグＦ（２）、値割引情報（１５％割引）すなわち、単価（１００）と割引率１５％とを演算して値割引額に割引額（１５円）のデータが追加記憶される。
【００８８】
また、Ｎｏ．３のレコードとして商品コード（４５１２６４２０）で商品値割引情報バッファ７２を検索し、買上した商品が存在するので買上商品情報バッファ７１に、販売金額（１００円）、値割引フラグＦ（３）、値割引情報（２０円）、値割引額に新価格が１００円であるので（２０円）のデータが追加記憶される。
【００８９】
さらに、合計エリア７５には、販売点数（３点）、合計エリア７６には、合計販売金額（２６３円）、合計エリア７７には、値割引額（５５円）が算出される。
【００９０】
当該１商取引の小計金額２６３円を算出する。さらに、前面表示器６２および客面表示器６３に商品Ａ〜Ｃの販売点数、販売金額、小計金額の表示内容を更新する。
【００９１】
キーボード６１の締めキーが操作入力されると、商品販売データ処理を行う。すなわち、買上商品情報バッファ７１に記憶されているすべての買上商品情報の販売点数、販売金額、値割引額をＲＡＭ４４の合計エリア７５〜７７にそれぞれ合計する。そして、販売点数（３点）、販売金額（２６３円）、値割引額（５５円）になる。
【００９２】
また、買上商品の決済処理を行う。すなわち、現金支払いの場合には、預かり金額としてたとえば、３００円と合計販売金額（２６３円）とから釣銭（３７円）を算出し、前面表示器６２および客面表示器６３に表示させる。
【００９３】
つぎに、買上商品情報バッファ７１の買上商品情報に基づいて当該商取引のレシート印字データを作成し、印字バッファ７４にセーブする。そして、プリンタ６４に出力して図１３に示すように、レシート１００を印字発行させる。さらに、Ｉ／Ｏポート５４から駆動信号を出力してドロワ６６を開放させ、釣銭（３７円）を買物客に渡し、１商取引の商品販売データ処理を終了させる。
【実施例２】
【００９４】
つぎに、実施例２について図１４を参照して説明する。本実施例は、図９のフローチャートを除く他は、実施例１と同じである。
【００９５】
ＰＯＳ端末１３のＣＰＵ４１は、図１４のフローチャートに示すＳＴ（ステップ）で各部を制御するようにＲＯＭ４３またはＨＤＤ４５に記憶されている商品販売データ処理プログラムにより実行される。
【００９６】
図１４のフローチャートは、図９の前記実施例１と同一部分について同じ符号のＳＴ（ステップ）については説明を省略する。
【００９７】
本実施例２においてＣＰＵ４１は、ＳＴ８１として実施例１のＳＴ２６にて商品コード入力手段を介して入力された当該商品コードに基づいて商品値割引バッファ７２を検索して当該商品コードが記憶されているか否かを判定する（商品値割引対象判定手段）。
【００９８】
そして、商品値割引情報の値割引対象となる当該商品コードが記憶されていると判定された場合には（ＳＴ８１−ＹＥＳ）、ＣＰＵ４１は、ＳＴ８２としてカードフラグＣＦをチェックして商品値割引の対象か否かを判定する。ここでカードフラグＣＦが“１”にセットされている場合には（ＳＴ８１−ＹＥＳ）、商品値割引の対象の取引なのでＳＴ８３として商品値割引情報に基づいて当該商品コードに対応する販売金額、値割引情報および値割引額等を読込む。そして、買上商品情報バッファ７１に当該商品コードに対応する販売金額、値割引情報および値割引額等をセーブしたならば（商品値割引処理手段）、つぎの、ＳＴ２９に進む。
【００９９】
なお、ＳＴ８１にて商品値割引情報の値割引対象となる当該商品コードが記憶されていない場合およびＳＴ８２のカードフラグＣＦが“０”にリセットされている場合には、ＳＴ８３の商品値割引処理を行うことなくＳＴ２９に進む。
【０１００】
本発明においては、汎用性のあるＦｅｌｉＣａ（登録商標）ＩＣチップを搭載した非接触ＩＣカード１６を用いて商品値割引のサービスを得ることが可能になる。店舗においては、専用カードを発行することなく商品値割引のサービスを提供することが可能になる。
【０１０１】
また、前記各実施例では、ＦｅｌｉＣａ（登録商標）ＩＣチップを搭載した非接触ＩＣカード１６を用いて説明したが、携帯電話端末にＦｅｌｉＣａ（登録商標）ＩＣチップを搭載したモバイルＦｅｌｉＣａ（登録商標）でもよいことは勿論である。
【０１０２】
また、上述の実施例においては、非接触ＩＣカード１６を例にとって説明しているが、本発明はこれに限らない。接触型のＩＣカードおよびそれに対応する接触型ＩＣカードリーダライタの組み合わせにも本発明はもちろん適用可能である。
【０１０３】
以上説明したように、本発明は前記実施の形態に限定されるものではなく、実施の段階ではその趣旨を逸脱しない範囲で種々に変形することが可能であるのは勿論である。
【符号の説明】
【０１０４】
１２…キオスク端末（情報端末）、１３…ＰＯＳ端末（商品販売データ処理装置）、１６…非接触ＩＣカード、１７…非接触ＩＣカードリーダライタ、１８…商品マスタファイル、１９…商品値割引情報ファイル、３１、４１…ＣＰＵ、３３、４３…ＲＯＭ、３４、４４…ＲＡＭ、６１…キーボード、６５…スキャナ（商品コード入力手段）、７１…買上商品情報バッファ（買上商品情報記憶部）、７２…商品値割引情報バッファ（商品値割引情報記憶部）。
【先行技術文献】
【特許文献】
【０１０５】
【特許文献１】特開２００８−１８６０４８公報
【図１】
2011123559.tif 000003
【図２】
2011123559.tif 000004
【図３】
2011123559.tif 000005
【図４】
2011123559.tif 000006
【図５】
2011123559.tif 000007
【図６】
2011123559.tif 000008
【図７】
2011123559.tif 000009
【図８】
2011123559.tif 000010
【図９】
2011123559.tif 000011
【図１０】
2011123559.tif 000012
【図１１】
2011123559.tif 000013
【図１２】
2011123559.tif 000014
【図１３】
2011123559.tif 000015
【図１４】
2011123559.tif 000016